(57)【特許請求の範囲】
【請求項１】
コンクリート壁面に埋設されるボックスを支骨鉄筋に支持するための架設具において、
前記ボックスを支持可能な突張り強度を有し、かつ手で折り曲げ自在な線状の支持棒を保持するための保持部と、ボックスの外面に接着される接着面とを有し、辺や角に配置されて該辺や該角を構成する側面及び裏面に２面以上にわたって接着される取付部材と、該接着面に設けられた接着層と、
を備えてなることを特徴とするコンクリート埋設用ボックスの架設具。
【請求項２】
コンクリート壁面に埋設されるボックスを支骨鉄筋に支持するため２以上からなる架設具において
それぞれの架設具は、ボックスを支持可能な突張り強度を有し、かつ手で折り曲げ自在な線状の支持棒を保持するための保持部と、ボックスの外面に接着される接着面とを有し、辺や角に配置されて該辺や該角を構成する側面及び裏面に２面以上にわたって接着される取付部材と、
該接着面に設けられた接着層と、を備えてなり、
ボックスの異なる部位に取り付けられてなることを特徴とするコンクリート埋設用ボックスの架設具。
【請求項３】
外面を覆う結露防止カバーを有し、コンクリート壁面に埋設されるボックスを支持するための架設具において、
ボックスを支持可能な突張り強度を有し、かつ手で折り曲げ自在な線状の支持棒を保持するための保持部と、結露防止カバーの外面に接着させる接着面を有し、辺や角に配置されて該辺や該角を構成する側面又は裏面に２面以上にわたって接着される取付部材と、
前記接着面に設けられた接着層と、
を備えてなることを特徴とするコンクリート埋設用ボックスの架設具。
【請求項４】
外面を覆う結露防止カバーを有し、コンクリート壁面に埋設されるボックスを支持するため２以上からなる架設具において、
ボックスを支持可能な突張り強度を有し、かつ手で折り曲げ自在な線状の支持棒を保持するための保持部と、結露防止カバーの外面に接着させる接着面を有し、辺や角に配置されて該辺や該角を構成する側面又は裏面に２面以上にわたって接着される取付部材と、
前記接着面に設けられた接着層と、を備えてなり、
結露防止カバーの異なる部位に取り付けられてなることを特徴とするコンクリート埋設用ボックスの架設具。
【請求項５】
支持棒が保持部に固定されてなることを特徴とする請求項１から４のいずれかに記載のコンクリート埋設用ボックスの架設具。
【請求項６】
保持部は、支持棒が挿通自在な挿通孔からなることを特徴とする請求項１から５のいずれかに記載のコンクリート埋設用ボックスの架設具。
【請求項７】
取付部材は、配線や配管を引き出すためボックスに形成される孔に対応する部位に、切り欠きがボックスの側面に２つと裏面に２つ設けられてなることを特徴とする請求項１から６のいずれかに記載のコンクリート埋設用ボックスの架設具。
【請求項８】
接着層は、加熱により溶融した後、硬化することにより接着可能なものからなることを特徴とする請求項１から７のいずれかに記載のコンクリート埋設用ボックスの架設具。
【請求項９】
外面を覆う結露防止カバーを有し、コンクリート壁面に埋設されるボックスと、
手で折り曲げ自在、かつボックスを支持可能な突っ張り強度を有する線状の支持棒と、
該支持棒を保持するための保持部と、結露防止カバーの外面に接着させる接着面を有し、辺や角に配置されて該辺や該角を構成する側面又は裏面に２面以上にわたって接着される取付部材と、を備え、
前記結露防止カバーと接着面とは接着されてなることを特徴とする架設具を備えたボックス。
【請求項１０】
取付部材の接着面は、ボックスの対向する側面にそれぞれが接着され、かつ裏面にそれぞれ接着されてなることを特徴とする請求項９記載の架設具を備えたボックス。
【発明の詳細な説明】
【０００１】
【発明の属する技術分野】
本発明は、コンクリートからなる側壁にボックスを設置する工事に使用するボックスの架設具であって、詳しくは、コンクリートの側壁を形成する際の型枠にボックスを密着した状態で支持するための架設具に関する。
【０００２】
【従来の技術】
特開昭６０−１５２７４７号において、図１０、１１に示すように、手による折り曲げが可能で、かつ曲げられた状態で背面側から型枠に押圧できる突張り強度を有する支持棒を取付けたボックスを作成し、そして、このボックスの支持棒をコンクリート壁の支骨をなす支骨鉄筋に固定して、型枠をボックスに押圧して密着状態とする。その状態のままコンクリートを打設して、コンクリート壁内にボックスを埋設するというものが開示されている。
【０００３】
この方法によれば、支持棒の曲げ具合を調整することによって、型枠の間隔に合わせてボックスを設置することができるという効果がある。
【０００４】
かかる従来の架設具は、架設具に設けられた突片をボックス背面に予め形成された挿通孔に挿通し、これを折り曲げて固定している。しかし、このような方法では、ボックスと架設具の双方が取り付けに対応した構造を有していなければならないという欠点がある。例えば、前記挿通孔が設けられていないボックスには、突片を有する架設具を取り付けることはできないし、たとえ、挿通孔が施されていても、大きさ、位置等の構造が適応していなければ、取り付けることはできないこととなる。
【０００５】
さらに、ボックスに結露防止のために断熱カバーを被せて使用する場合には、前記挿通孔が該カバーに覆われて使用することができないといった欠点をも有している。勿論、挿通孔に対応する孔を断熱カバーにも形成することは可能であるが、この場合には、断熱効果を著しく損なうことになり、完全に結露発生を防止することができないこととなる。
【０００６】
【発明が解決しようとする課題】
そこで、本発明は以上のような問題を解決するためになされたものであり、解決すべき課題は、ボックスの取付構造の有無、形状に係わらず、支持棒を容易かつ確実に取り付けることができ、汎用性に優れる架設具を提供するとともに、断熱カバーが被せられているボックスであっても、断熱効果を妨げることなく、支持棒を取り付けることができる架設具を提供することにある。
【０００７】
【課題を解決する手段】
以上のような問題点を解決するために本発明の請求項１に記載した発明が採った手段は、コンクリート壁面５０に埋設されるボックス１０を支骨鉄筋８０に支持するための架設具１００において、前記ボックス１０を支持可能な突張り強度を有し、かつ手で折り曲げ自在な線状の支持棒３０を保持するための保持部２１と、ボックス１０の外面に接着される接着面２２とを有し、辺や角に配置されて該辺や該角を構成する側面及び裏面に２面以上にわたって接着される取付部材２０と、該接着面２２に設けられた接着層４０と、を備えてなることを特徴とするコンクリート埋設用ボックスの架設具１００、とするものである。
【０００８】
これは、支持棒３０をボックス１０に取付けるために、まず、支持棒３０を取り付けるための保持部２１を取付部材２０に設け、この取付部材２０に接着層４０を設けて、ボックス１０に接着により貼りつけるという手段を採用している。このように接着という手段を採用することにより、ボックス１０と取付部材２０の互いの取付構造を問わずにボックス１０に支持棒３０を取り付けることができる。
さらに、架設具１００をボックス１０に接着する場合に、ボックス１０の２面以上にわたって接着できるように接着面２２を形成してある。これは、ボックス１０を型枠７０内に架設した場合に、ボックス１０を２方向以上から支持できるようにして脱落の防止を図ったものである。２面以上にわたって支持するという手段を採用することにより、突片と比較すれば固定力が劣る接着という手段を採用してもズレたり、剥がれたりすることなく固定することができる。また、接着部分をボックス１０の辺や角に設けることで、接着面２２の面積を減らすことができる。従って、配線等の引き出し用の孔（ノック）を塞ぐことなく取り付けることができる。このようにして支持棒３０を取り付けたボックス１０は、従来と同様に、型枠７０の間隔にあわせて支持棒３０の曲げ具合を調整できるので、常にボックス１０を型枠７０に押圧した状態で設置することができる。
【０００９】
さらに、請求項２に記載した発明が採った手段は、コンクリート壁面５０に埋設されるボックス１０を支骨鉄筋８０に支持するために２以上からなる架設具１００において、それぞれの架設具１００は、ボックス１０を支持可能な突張り強度を有し、かつ手で折り曲げ自在な線状の支持棒３０を保持するための保持部２１と、ボックス１０の外面に接着される接着面２２とを有し、辺や角に配置されて該辺や該角を構成する側面及び裏面に２面以上にわたって接着される取付部材２０と、該接着面２２に設けられた接着層４０と、を備えてなり、
ボックス１０の異なる部位に取り付けられてなることを特徴とするコンクリート埋設用ボックスの架設具１００、とするものである。
これは、２以上の架設具をボックス１０の異なる位置に取り付けて、ボックス１０にかかる種々の方向からかかる力に対抗させたものである。例えば、図１に示すように、特にボックス１０の対辺に取り付ければ、上下方向へは、互いの架設具によって抑えられているので、移動するのを防止することができる。
【００１０】
さらに、本発明の請求項３に記載した発明が採った手段は、外面を覆う結露防止カバー６０を有し、コンクリート壁面５０に埋設されるボックス１０を支持するための架設具１００において、ボックス１０を支持可能な突張り強度を有し、かつ手で折り曲げ自在な線状の支持棒３０を保持するための保持部２１と、結露防止カバー６０の外面に接着させる接着面を有し、辺や角に配置されて該辺や該角を構成する側面又は裏面に２面以上にわたって接着される取付部材２０と、前記接着面２２に設けられた接着層４０と、を備えてなることを特徴とするコンクリート埋設用ボックスの架設具１００、とするものである。
これは、結露防止カバー６０が被せられたボックス１０に取り付ける架設具１００にかかるものである。この請求項２記載の発明によれば、結露防止カバー６０に孔を穿ったりすることなく、直接、貼り付けるだけで取り付けることができる。さらに、結露防止カバー６０は、発泡スチロール等が用いられることが多いが、この発泡スチロールは、その作製方法から平面部が脆く、角部が比較的強く作製されることは周知である。そこで、ボックス１０の１面に貼りつけるのみでは、発泡スチロール自体が破損するおそれがあるが、２面以上にわたった角部に設けることによって、その破損を防止することができる。また、２面以上にわたって接着することで、２方向から接着面２２を支持するので、剥がれるのを防止することができる。これは、接着という手段は、剥がす方向には弱いが、ズレには比較的強いという特性を有している。そこで、２面以上にわたって接着すれば、取付部材２０が剥がす場合、いずれかの面がズレる方向になるので、互いに剥がれるのを防止することになる。
【００１１】
さらに、本発明の請求項４に記載した発明が採った手段は、外面を覆う結露防止カバー６０を有し、コンクリート壁面５０に埋設されるボックス１０を支持するため２以上からなる架設具１００において、ボックス１０を支持可能な突張り強度を有し、かつ手で折り曲げ自在な線状の支持棒３０を保持するための保持部２１と、結露防止カバー６０の外面に接着させる接着面を有し、辺や角に配置されて該辺や該角を構成する側面又は裏面に２面以上にわたって接着される取付部材２０と、前記接着面２２に設けられた接着層４０と、を備えてなり、結露防止カバー６０の異なる部位に取り付けられてなることを特徴とするコンクリート埋設用ボックスの架設具１００、とするものである。
これは、請求項２に記載した発明を結露防止カバー６０をついたボックス１０に応用したものである。
【００１２】
さらに、本発明の請求項５に記載した発明が採った手段は、支持棒３０が保持部２１に固定されてなることを特徴とする請求項１から４のいずれかに記載のコンクリート埋設用ボックスの架設具１００、とするものである。これは、支持棒３０を取付部材２０に固定しておくことで、迅速かつ容易に支持棒３０をボックス１０に設けることができるようにするとともに、確実に固定することができるようにしたものである。
【００１３】
さらに、本発明の請求項６に記載した発明が採った手段は、保持部２１は、支持棒３０が挿通自在な挿通孔２３からなることを特徴とする請求項１から５のいずれかに記載のコンクリート埋設用ボックスの架設具１００、とするものである。ボックス１０の使用される場所や取り付ける支骨鉄筋８０の配置等に応じて、支持棒３０の太さや長さ等を調整できるようにしたものである。
【００１４】
さらに、請求項７に記載した発明が採った手段は、取付部材２０は、配線や配管を引き出すためボックス１０に形成される孔に対応する部位に、切り欠きがボックスの側面に２つと裏面に２つ設けられてなることを特徴とする請求項１から６のいずれかに記載のコンクリート埋設用ボックスの架設具、とするものである。
これは、配線や配管を引き出す空間を確保したものである。本発明の取付部材２０が、角に取り付けられているので、ボックス側面や背面に引き出し用の孔が形成されても、邪魔することなく切り欠きを設けるだけで可能となる。
【００１５】
さらに、本発明の請求項８に記載した発明が採った手段は、接着層４０は、加熱により溶融した後、硬化することにより接着可能なものからなることを特徴とする請求項１から６のいずれかに記載のコンクリート埋設用ボックスの架設具１００、とするものである。これは、接着層４０の材料としてホットメルトタイプのものを用いたものである。例えば、ＥＶＡ（エチレンビニルアルコール）等を用いたものが考えられる。加熱により溶融させるだけで接着可能であるので、その場で接着層４０を暖めるだけで接着することができ、非常に便利である。
【００１６】
さらに、本発明の請求項９に記載した発明が採った手段は、外面の少なくとも一部を覆う結露防止カバー６０を有し、コンクリート壁面５０に埋設されるボックス１０と、手で折り曲げ自在、かつボックス１０を支持可能な突っ張り強度を有する線状の支持棒３０と、該支持棒３０を保持するための保持部２１と結露防止カバー６０の外面に接着させる接着面を有し、辺や角に配置されて該辺や該角を構成する側面又は裏面に２面以上にわたって接着される取付部材２０とを備え、前記結露防止カバー６０と接着面２２とは接着されてなることを特徴とする架設具１００を備えたボックス１０、とするものである。これは、請求項２記載の架設具１００を取り付けたボックス１０に係るものである。
【００００】
さらに、本発明の請求項１０に記載した発明が採った手段は、取付部材２０の接着面は、ボックス１０の対向する側面にそれぞれが接着され、かつ裏面にそれぞれ接着されてなることを特徴とする請求項９記載の架設具１００を備えたボックス１０とするものである。
【００１７】
【発明の実施の形態】
以下に本発明の実施例について、図に沿って説明する。
（実施例１）
本発明に係る架設具１００及び本架設具１００によってコンクリート壁面５０に埋設されるボックス１０の実施例１が図１に示されている。本発明の架設具１００は、線状の部材からなる支持棒３０を保持する取付部材２０と、該取付部材２０に設けられた接着層４０と、を備えている。ボックス１０は、開口された箱状に形成されていて、この開口部１１から種々の部品、例えば、電気配線用のユニット等を取り付けられる。このボックス１０は、最終的に開口部１１をコンクリート壁面５０の表面に露出させて埋設されることになる（図６）。そのため、ボックス１０からコンクリート壁面５０内に配線等を取り出せるように複数の孔（ノック）を形成できるようにされている。具体的には、図２に示すように、ノックの周囲に切り欠き部１２が形成され、この切り欠き部１２に沿って切り取ることで容易にノックを設けることができるようにされている。
【００１８】
支持棒３０は、コンクリート壁面５０の支骨をなす支骨鉄筋８０間に架設してボックス１０を支持するためのものである。ボックス１０は、後述するように、コンクリート壁面５０を作製する際の仕切となる型枠７０に押しつけてコンクリートを打設することにより、ボックス１０の開口部１１をコンクリート壁面５０に露出させるものである。そのため、支持棒３０は、手で折り曲げて方向を自在に設定でき、かつ、曲げられた状態でボックス１０を型枠７０に押圧できる程度の突っ張り強度を有した線材で作成される必要がある。一方、このような条件を満たしているものであれば、断面が円形のもの、四角いもの、或いは扁平なもの等種々の断面のものを用いることができる。また、太さも特に限定するものではない。支骨をなす支骨鉄筋８０への架設のしやすさ、曲げ方向の自在性という観点から断面円形のものが好ましく、折り曲げ強度や突っ張り強度の関係から、８番線前後の軟鋼線を用いるのが好ましい。実施例１においては、支持棒３０は、手で自由に折り曲げることができ、かつ十分な突っ張り強度を有する孔径φ４のなまし鉄線で作製されている。
【００１９】
取付部材２０は、支持棒３０を保持するとともに、支持棒３０をボックス１０に貼りつけるための仲介としての役目を果たすものである。実施例１の取付部材２０は、断面がＬ字形状に形成され、２面の接着面２２が形成されている。この接着面２２は、ボックス１０の裏面と側面とに接着される。また、図３に示すように接着面２２は、ボックス１０に貼りつけた場合に、ノックを塞がないようにその部分を逃がすように切り欠いてある。このように２面を接着することで、裏面と側面との２方向からボックス１０を支持することができる。
【００２０】
また、この取付部材２０には、先述の支持棒３０を取り付けることができるように保持部２１が設けられている。保持部２１は、長手方向に挿通孔２３が設けられていて、この挿通孔２３に支持棒３０を挿通して固定することができる。この際に、支持棒３０を挿通孔２３に固定しておいてもよいし、単に挿通しておくだけでもよい。
【００２１】
さらに、接着面２２には、接着層４０が設けられている。この接着層４０は、例えば両面テープやホットメルト等が用いられるが、ボックス１０や取付部材２０の材質によって種々のものを適宜選択して用いることができる。実施例１においては、加熱により溶融した後、硬化することにより接着可能な約１ｍｍ程度の厚さのホットメルトにより接着層４０が形成されている。ホットメルトは、その場で接着層４０を暖めるだけで接着することができ、また、早乾性があるので、非常に便利である。
【００２２】
次に、架設具１００を取り付けたボックス１０をコンクリート壁面５０内に埋設する方法について説明する。まず、図４に示すように、ボックス１０に取り付けられた線状の支持棒３０を手で折り曲げてコンクリート壁面５０内の支骨を形成するために巡らされた支骨鉄筋８０に針金等で結束して架設する。このときに、型枠７０にボックス１０を押圧する位置にくるように、手で支持棒３０を曲げて調節する。こうしてボックス１０は、所定の埋設位置に設置される。
【００２３】
そして、図５に示すように、ボックス１０の開口部１１に型枠７０を押圧させて設置する。このとき、支持棒３０の突っ張り強度によって矢印方向Ａに取付部材２０を押圧し、ボックス１０は型枠７０に密接した状態に保たれている。このように、水平方向に関しては、ボックス１０は型枠７０から矢印Ｂの方向に、取付部材２０は支持棒３０から矢印Ａの方向に押圧されており、上下方向は、ボックス１０の上下に取付られた架設具１００によって、矢印Ｃ、Ｄの方向に押圧されて均衡を保っている。従って、接着層４０はそれほどの接着力がなくても確実に固定することができる。
【００２４】
次いで、図６に示すように、コンクリートを型枠７０内に打設してコンクリート壁面５０を形成する。こうしてボックス１０はコンクリート壁面５０内に開口部１１を露出しつつ埋設されることになる。
【００２５】
尚、上記埋設方法は、コンクリート壁面５０内にボックス１０を埋設する方法の一例であり、先に型枠７０を立てかけた状態でこれにボックス１０を密着させて埋設する方法においても、本発明にかかる架設具１００の使用は可能である。この場合には、ボックス１０を型枠７０に接着させ、型枠７０にボックス１０の開口部１１が密接するように支持棒３０を手で折り曲げて支骨鉄筋８０に架設すればよい。
【００２６】
（実施例２）
次に実施例２について説明する。図７には、実施例２に係る架設具１００が示されている。この実施例２における架設具１００は、ボックス１０を３方向から支持できるように、３方向の接着面２２が３面設けられている。その他支持棒３０や接着層４０等は、実施例１と同様である。そして、３面の接着面２２は、ボックス１０の角に取り付けられ、３方向からボックス１０を支持することになる。このときに架設具１００をボックス１０に取り付ける方法としては、図７に示したように、それぞれ別個に支持棒３０を挿通しておいて、別個独立に支骨鉄筋８０に取り付けてもよいし、図８に示したように、２つの架設具１００を介するように支持棒３０を保持させて取り付けてもよい。このようにして取り付けられたボックス１０は、上下左右前後の全ての方向を支持することができるため、非常に堅固な固定を行うことができる。
【００２７】
（実施例３）
図９に実施例３に係る架設具１００が図示されている。これはボックス１０に結露防止カバー６０を被せたものに架設具１００を取り付けたものである。架設具１００は、実施例１のものと同様である。取付方法は、実施例１と同様の方法により、結露防止カバー６０の外面から接着してある。
【００２８】
【発明の効果】
以上のように、本発明による請求項１記載の架設具によれば、ボックスの取付構造を問うことなく、単に貼りつけるだけで、支持棒を架設具に取り付けることができる。従って、架設具を複数種類用意する必要がなく、本発明の架設具のみであらゆるボックスに対応することができる。また、２方向以上からボックスを支持することができるため、より確実に固定することができる。
そして、取り付けられたボックスは、線状の支持棒の曲げ具合を調整して、型枠の間隔に合わせてボックスを容易に設置することができるとともに、ボックスの開口を密着させる型枠に対して、ボックスを常に押圧した状態で設置することができる。従って、ボックスの位置決め及び型枠への押圧が簡単、確実に行え、作業の効率化を図ることができる。
【００２９】
また、請求項２記載の架設具によれば、結露防止カバーによって被覆されたボックスであっても、結露防止カバーに孔を開けたりすることなく、直接貼り付けるだけで取り付けることができる。さらに、２面以上によって接着しているので、２方向以上からの支持により剥がれやズレを防止できる。
【００３０】
また、請求項３記載の発明によれば、より確実に支持棒をボックスに固定することができるし、一方、請求項４記載の発明によれば、支持棒のみを自由に取り付け及び取り外しができるので、設置状態に応じて、任意の支持棒の太さ、長さや突っ張り強度を有するものを使用することができる。
【００３１】
また、請求項５記載の架設具によれば、接着層にホットメルト型のものを使用することにより、現場で加熱するだけで容易に作業を行うことができるようになる。
【００３２】
また、請求項６記載の架設具によれば、カバーに孔を形成することなく架設具が固定されているので、断熱効果損なうことなく、結露発生することがないボックスを提供することができる。
【００３３】
【図面の簡単な説明】
【図１】  実施例１に係る架設具及びボックスを示す斜視図である。
【図２】  実施例１に係るボックスの切り欠き部の状態を示す断面図である。
【図３】  実施例１に係る架設具がボックスに取り付けられた状態を示す斜視図である。
【図４】  実施例１に係る架設具及びボックスを支骨鉄筋に取り付けた状態を示す斜視図である。
【図５】  実施例１に係る架設具が取り付けられたボックスを支骨鉄筋に取付けた後、型枠を設けた状態を示す側面図である。
【図６】  実施例１に係る架設具が取り付けられたボックスを型枠内に取り付けた後、コンクリートを打設した状態を示す側面図である
【図７】  実施例２に係る架設具及びボックスを示す斜視図である。
【図８】  実施例２に係る架設具及びボックスの別の取付状態を示す斜視図である。
【図９】  実施例３に係る架設具及びボックスの別の取付状態を示す斜視図である。
【図１０】  従来の架設具及びボックスを示す斜視図である。
【図１１】  従来の架設具をボックスに取り付けた状態を示す斜視図である。
【符号の説明】
１０    ボックス
２０    取付部材
３０    支持棒
４０    接着層
５０    コンクリート壁面
６０    結露防止カバー
７０    型枠
１００  架設具
【図１】
0003704658.tif 000002
【図２】
0003704658.tif 000003
【図３】
0003704658.tif 000004
【図４】
0003704658.tif 000005
【図５】
0003704658.tif 000006
【図６】
0003704658.tif 000007
【図７】
0003704658.tif 000008
【図８】
0003704658.tif 000009
【図９】
0003704658.tif 000010
【図１０】
0003704658.tif 000011
【図１１】
0003704658.tif 000012